(57)【要約】【課題】構造が簡単で小型化を容易に図ることができる玉軸受の玉分配装置を提供する。【解決手段】玉軸受１が上方から取り出し可能に嵌込まれて設置される軸受セット部３５が上部に形成された装置本体１０と、玉軸受１の複数の玉６と同数で等間隔の環状に配列されて装置本体１０に昇降動可能に組み付けられると共に、上端部に玉軸受１の隣接する玉６の間に突入されてこれら玉６を振り分ける玉分け部５１を有する複数の串部材５０と、複数の串部材５０を順次に昇降動させて複数の玉６を等間隔に分配するカム機構７０とを備え、玉軸受１の外輪２と内輪４との間に組み込まれた複数の玉６を等間隔に分配する。【選択図】図２
2009233777.tif 000002
【特許請求の範囲】
【請求項１】
玉軸受の外輪と内輪との間に組み込まれた複数の玉を等間隔に分配する玉軸受の玉分配装置であって、
前記玉軸受が上方から取り出し可能に嵌込まれて設置される軸受セット部が上部に形成された装置本体と、
前記複数の玉と同数で等間隔の環状に配列されて前記装置本体に昇降動可能に組み付けられると共に、上端部に前記玉軸受の隣接する玉の間に突入されてこれら玉を振り分ける玉分け部を有する複数の串部材と、
前記複数の串部材を順次に昇降動させて前記複数の玉を等間隔に分配するカム機構とを備えていることを特徴とする玉軸受の玉分配装置。
【請求項２】
請求項１に記載の玉軸受の玉分配装置であって、
カム機構は、装置本体の周囲に回転可能に組み付けられかつ環状のカム面を有する一つの筒状カム部材と、
前記複数の串部材にそれぞれ組み付けられると共に、前記環状のカム面に沿って移動するカムフォロアとを備えていることを特徴とする玉軸受の玉分配装置。
【請求項３】
請求項２に記載の玉軸受の玉分配装置であって、
筒状カム部材は、その外周面にモータを駆動源とする無端状の伝導ベルトが掛け渡されて回転されると共に、前記筒状カム部材に所定値以上の荷重が負荷されたときには、前記伝導ベルトと筒状カム部材の外周面との相互の接触部に滑りが生じるように設定されていることを特徴とする玉軸受の玉分配装置。
【発明の詳細な説明】
【技術分野】
【０００１】
この発明は、玉軸受の外輪と内輪との間に組み込まれた複数の玉を等間隔に分配する玉軸受の玉分配装置に関する。
【背景技術】
【０００２】
従来、この種の玉軸受の玉分配装置においては、例えば、特許文献１に開示されている。
これにおいては、玉軸受の内輪と外輪間に挿入された複数の玉を所定の間隔に配置するための玉分配装置において、鉛直方向の回転軸を有するとともに、前記玉軸受の玉を１つづつ収容可能な間隔で前記回転軸の周りに配列された前記玉の数と同数のくし歯を有する回転台と、前記回転台を前記回転軸を中心に回転させるとともに鉛直方向に昇降させる駆動手段と、前記玉軸受を鉛直方向上方から弾性的に押圧するための鉛直方向押圧手段と、前記玉軸受の外輪の外周部を水平方向に前記回転台の回転軸に向けて押圧する水平方向押圧手段とを備える。
【特許文献１】特開２００２−２６６８８４号公報
【発明の開示】
【発明が解決しようとする課題】
【０００３】
ところで、前記した従来の玉分配装置においては、構成部品の点数が多く、装置が複雑でかつ大型化する傾向にある。
この発明の目的は、前記問題点に鑑み、構造が簡単で小型化を容易に図ることができる玉軸受の玉分配装置を提供することである。
【課題を解決するための手段】
【０００４】
前記課題を解決するために、この発明の請求項１に係る玉軸受の玉分配装置は、玉軸受の外輪と内輪との間に組み込まれた複数の玉を等間隔に分配する玉軸受の玉分配装置であって、
前記玉軸受が上方から取り出し可能に嵌込まれて設置される軸受セット部が上部に形成された装置本体と、
前記複数の玉と同数で等間隔の環状に配列されて前記装置本体に昇降動可能に組み付けられると共に、上端部に前記玉軸受の隣接する玉の間に突入されてこれら玉を振り分ける玉分け部を有する複数の串部材と、
前記複数の串部材を順次に昇降動させて前記複数の玉を等間隔に分配するカム機構とを備えていることを特徴とする。
【０００５】
前記構成によると、まず、装置本体の軸受セット部に玉軸受が上方から嵌込まれて設置される。次に、玉軸受の複数の玉と同数の串部材がカム機構によって順次に昇降動されることによって、各串部材の上端部の玉分け部が玉軸受の隣接する玉の間に順次に突入される。これによって、複数の玉が各串部材の間に等間隔に分配される。
前記したように、装置本体と、複数の串部材と、カム機構とを備えて玉軸受の玉分配装置を構成することができるため、構造が簡単で小型化を容易に図ることができる。
この結果、安価に提供することができると共に、設置スペースの確保も容易となる。
【０００６】
請求項２に係る玉軸受の玉分配装置は、請求項１に記載の玉軸受の玉分配装置であって、
カム機構は、装置本体の周囲に回転可能に組み付けられかつ環状のカム面を有する一つの筒状カム部材と、
前記複数の串部材にそれぞれ組み付けられると共に、前記環状のカム面に沿って移動するカムフォロアとを備えていることを特徴とする。
【０００７】
前記構成によると、装置本体の周囲に筒状カム部材が回転されることによって、複数の串部材のカムフォロアが環状のカム面に沿って移動する。そして、各串部材が周方向へ順次に昇降動され、これら各串部材の上端部の玉分け部が玉軸受の隣接する玉の間に順次に突入されて複数の玉が等間隔に分配される。
このようにして、一つの筒状カム部材と複数の串部材のカムフォロアによってカム機構を容易に構成することができ、コスト低減に効果が大きい。
【０００８】
請求項３に係る玉軸受の玉分配装置は、請求項２に記載の玉軸受の玉分配装置であって、
筒状カム部材は、その外周面にモータを駆動源とする無端状の伝導ベルトが掛け渡されて回転されると共に、前記筒状カム部材に所定値以上の荷重が負荷されたときには、前記伝導ベルトと筒状カム部材の外周面との相互の接触部に滑りが生じるように設定されていることを特徴とする。
【０００９】
前記構成によると、筒状カム部材が回転する玉分配時において、例えば、串部材に昇降不良等が発生して筒状カム部材に所定値以上の荷重が負荷されたときには、伝導ベルトと筒状カム部材の外周面との相互の接触部が相対的に滑ることによって、筒状カム部材の回転が停止される。これによって、串部材やこれに干渉する部材の損傷を防止することができる。
【発明を実施するための最良の形態】
【００１０】
この発明を実施するための最良の形態について実施例にしたがって説明する。
【００１１】
〔実施例１〕
この発明の実施例１を図１〜図４にしたがって説明する。
図１はこの発明の実施例１に係る玉軸受の玉分配装置を示す斜視図である。図２は玉軸受の玉分配装置を示す縦断面図である。図３は串部材を示す斜視図である。図４は玉軸受の複数の玉がこれと同数の串部材によって等間隔に分配された状態を示す平面図である。
【００１２】
図１と図２に示すように、この実施例１に係る玉軸受の玉分配装置は、装置本体１０と、複数の串部材５０と、カム機構７０と、駆動機構８０とを備えている。
装置本体１０は、ベース部材１１と、下部案内部材２０と、上部案内部材３０とを備え、ベース部材１１は、設置面上にボルト等に固定される基盤１２と、この基盤１２の上面の中央部に垂直方向に突出された平面形状円形の支持台１３とを備えている。
【００１３】
下部案内部材２０は、その下部に支持台１３よりも適宜に大径の円盤部２０ａが形成され、この円盤部２０ａにおいて、ベース部材１１の支持台１３上に同一中心線上に固定されている。この下部案内部材２０の円盤部２０ａには、複数の串部材５０の数と同数でこれら串部材５０を昇降案内する複数の下部案内孔２１が周方向に所定の間隔を隔てて貫設されている。また、円盤部２０ａの上面の外周部には、円筒状の案内筒２５が所定高さで突設されている。そして、この案内筒２５には、複数の串部材５０の数と同数の上下方向の長孔状の摺動孔２６が周方向に等間隔で形成されている。
【００１４】
図１と図２に示すように、上部案内部材３０は、その下部に、下部案内部材２０の円盤部２０ａよりも適宜に小径の底板部３１と筒状体３２とを有して有底円筒状に形成されている。そして、上部案内部材３０は、その底板部３１において、下部案内部材２０の円盤部２０ａ上に同一中心線上に固定されている。
また、上部案内部材３０の筒状体３２の外周面上部には、玉軸受１の内輪４が上方から取り出し可能に嵌込まれる軸受セット部３５が形成されている。
【００１５】
この実施例１において、図１と図２に示すように、上部案内部材３０の筒状体３２の外周面上部には、玉軸受１の内輪４の内径寸法よりも僅かに小さい外径寸法を有する嵌合筒部３６と、この嵌合筒部３６の下端に位置すると共に、上面に環状の軸受設置面３９を有する大径の鍔部３８とが段差状に形成されている。
そして、軸受セット部３５は、嵌合筒部３６の外周面３７と、鍔部３８の上面の軸受設置面３９によって構成されている。
また、上部案内部材３０の鍔部３８は、下部案内部材２０の円盤部２０ａの外径寸法とほぼ同じ外形寸法に形成されると共に、下部案内部材２０の複数の下部案内孔２１と同一中心線上に複数の上部案内孔３４が貫設されている。
【００１６】
図１と図２に示すように、上部案内部材３０の筒状体３２の内部には、エアーシリンダ等よりなる保持シリンダ４０がそのシリンダロッド４１を上向きにして固定されている。そして、シリンダロッド４１の上端には、軸受セット部３５に玉軸受１を押さ板４５を介して保持するための押圧板４２が取り付けられている。
また、保持シリンダ４０と押圧板４２との間には、シリンダロッド４１と共に押圧板４２を上昇端位置に向けて弾発する圧縮コイルスプリングよりなる戻しばね４３がシリンダロッド４１の外周に巻装された状態で配設されている。
【００１７】
また、押圧板４２は軸受セット部３５の嵌合筒部３７の内径寸法よりも小さく形成され、玉軸受１の内輪４は、押圧板４２を通して軸受セット部３５の嵌合筒部３７の外周面に嵌込まれてセットされるようになっている。
また、図１に示すように、押さ板４５は、玉軸受１の外輪２の外径寸法とほぼ同じ大きさの外径寸法をもって形成され、その中心部から外周面にわたって戻しばね４３の外径寸法よりも大きい溝幅をもつ差込溝４６が形成されている。
また、押さ板４５の下面には、玉軸受１の内輪４の上側の端面を押える突輪が突設され、さらに、押さ板４５の上面には、操作用の取手４７が形成されている。
【００１８】
図２と図３に示すように、複数の串部材５０は、上下方向に長い軸部材によって形成され、下部案内孔２１から上部案内孔３４にわたって昇降動可能に嵌挿されることによって周方向に等間隔の環状に配列されて組み付けられる。
これら複数の串部材５０の上端部には、玉軸受１の隣接する玉６の間に突入されて玉６を振り分ける平板状の玉分け部５１が形成されている。また、この実施例１において、玉分け部５１には片側に傾斜した玉分け傾斜面５２が形成されている（図３参照）。
【００１９】
カム機構７０は、複数の串部材５０を順次に昇降動させて軸受セット部３５の玉軸受１の玉６を等間隔に分配するものであり、一つの筒状カム部材７１と複数の串部材５０と同数のローラ状のカムフォロア７５によって構成されている。
筒状カム部材７１は、ベース部材１１の支持台１３の外周囲に沿い、かつベース部材１１の基盤１２上にスラスト玉軸受６０を介して回転可能に組み付けられている（図２参照）。
そして、この筒状カム部材７１の筒上端面に沿って環状をなすカム面７２が形成されている。
【００２０】
一方、複数のカムフォロア７５は、下部案内部材２０の案内筒２５に形成された各摺動孔２６を通して各串部材５０にねじ込まれて一体化された摺動軸５５の軸回りに回転自在に組み付けられている。そして、各カムフォロア７５が筒状カム部材７１のカム面７２に沿って移動することによって各串部材５０を昇降動させるようになっている。
また、この実施例１において、筒状カム部材７１の外周面の所定位置には、筒状カム部材７１のカム面７２に沿ってカムフォロア７５を強制的に押し下げる押下板７７を上端部有する押下げ案内部材７６が取り付けられている。
また、この実施例１において、図１と図２に示すように、複数の串部材５０のうち、隣接する二本の串部材５０が軸受セット部３５の軸受設置面３９から常時突出するように筒状カム部材７１のカム面７２の形状が設定されている。これによって、複数の玉６が順次周方向に等間隔で分配されるようになっている。
【００２１】
筒状カム部材７１を回転駆動する駆動機構８０は、モータ（この実施例１ではエアーモータ）８３と無端状の伝導ベルト８６とを備えている。
図１に示すように、モータ８３は、ベース部材１１の基盤１２上に固定されたアーム状の支持部材８１の先端の支持盤８２上に下向きに取り付けられており、モータ８３の出力軸の先端部に駆動プーリ８５が組み付けられ、この駆動プーリ８５と筒状カム部材７１の外周面にわたって伝導ベルト８６が掛け渡されている。
【００２２】
また、この実施例１において、モータ８３及び保持シリンダ４０に対するエアーの供給は、作業者によるスイッチ操作（例えば、足踏みスイッチ操作）で行われるように設定されている。
また、筒状カム部材７１に所定値以上の荷重が負荷されたときには、伝導ベルト８６と筒状カム部材７１の外周面との相互の接触部に滑りが生じるように設定されている。
また、この実施例１において、伝導ベルト８６の張力を調整するために、支持部材８１は、その一端部において、ベース部材１１の基盤１２上に支点ねじ８７を中心として水平方向へ揺動可能に支持されると共に、ベース部材１１の基盤１２にねじ込まれる固定ねじ８８と、支点ねじ８７を中心とする円弧状の長孔によって所要とする揺動角度で固定されている。
さらに、支持部材８１の側面には、先端が固定ねじ８８の軸部に当接する調整ねじ８９がねじ込まれている。そして、固定ねじ８８を適宜に緩めた状態で、調整ねじ８９を進退調節することによって、ベース部材１１の基盤１２に対し支持部材８１が支点ねじ８７を中心として水平方向へ揺動され、これによって、ベース部材１１と、駆動プーリ８５の中心間距離が変化することで、伝導ベルト８６の張力が調整されるようになっている。
【００２３】
この実施例１に係る玉軸受の玉分配装置は上述したように構成される。
したがって、図１に示すように、玉軸受１の外輪２と内輪４との間に偏って組み付けられた複数の玉６を等間隔に分配する場合、まず、装置本体１０の上部案内部材３０に形成された軸受セット部３５の嵌合筒部３６の上方から玉軸受１の内輪４が嵌込まれ、玉軸受１の下面（内輪４の下面又は外輪２の下面）が軸受設置面３９上に設置される。
次に、保持シリンダ４０のシリンダロッド４１の上端の押圧板４２が上昇端位置に配置された状態で、保持シリンダ４０のシリンダロッド４１の上部に押さ板４５を、その差込溝４６において差し込んで玉軸受１の上面（内輪４の上面又は外輪２の上面）に載置する。
その後、図２に示すように、保持シリンダ４０を作動して、シリンダロッド４１と共に押圧板４２を戻しばね４３の付勢力に抗して下降させる。これによって、軸受セット部３５に玉軸受１を固定する。
この実施例１において、玉軸受１の内輪４の下端面が軸受設置面３９上に設置された状態で、玉軸受１の内輪４の上端面が押さ板４５の下面の突輪に押えられ、玉軸受１の外輪２は回転自在に保持される。
【００２４】
ここで、モータ８３が作動され、伝導ベルト８６を介して筒状カム部材７１が１〜２回転された後、モータ８３と共に筒状カム部材７１が停止される。
筒状カム部材７１の回転によって、そのカム面７２に沿って各串部材５０のカムフォロア７５が移動され、各串部材５０が周方向へ順次に昇降動される。
そして、各串部材５０の上端部の玉分け部５１が玉軸受１の隣接する玉６の間に順次に突入される。これによって、複数の玉６が各串部材５０の間に等間隔に分配される（図４参照）。
【００２５】
その後、保持シリンダ４０のシリンダロッド４１を元の上昇端位置まで上昇させ、押さ板４５を引き抜いた後、玉軸受１を上方へ持ち上げて取り出すことによって、玉軸受１の複数の玉６の分配工程が完了する。なお、複数の玉６が等間隔に分配された玉軸受１の外輪２と内輪４との間には、保持器が組み付けられ、この保持器によって複数の玉６が等間隔に分配された状態に保持される。
【００２６】
前記したように、この実施例１においては、装置本体１０と、複数の串部材５０と、カム機構７０とを備えて玉軸受の玉分配装置を構成することができるため、構造が簡単で小型化を容易に図ることができる。この結果、安価に提供することができると共に、設置スペースの確保が容易となる。
また、この実施例１において、装置本体１０の下部案内部材２０の周囲に回転可能に組み付けられた一つの筒状カム部材７１と複数の串部材５０のカムフォロア７５によってカム機構７０を容易に構成することができ、コスト低減に効果が大きい。
【００２７】
また、この実施例１において、筒状カム部材７１が回転する玉分配時において、例えば、串部材５０に昇降不良等が発生して筒状カム部材７１に所定値以上の荷重が負荷されたときには、伝導ベルト８６と筒状カム部材７１の外周面との相互の接触部が相対的に滑ることによって、筒状カム部材７１の回転が停止される。これによって、串部材５０やこれに干渉する部材の損傷を防止することができる。
【００２８】
なお、この発明は前記実施例１に限定するものではなく、この発明の要旨を逸脱しない範囲内において、種々なる形態で実施することもできる。
例えば、前記実施例１においては、装置本体１０がベース部材１１と下部案内部材２０と上部案内部材３０との３部品が上下方向へ連結されて構成される場合を例示したが装置本体１０を２部品又は１部品によって構成することも可能である。
また、前記実施例１においては、カム機構７０を構成する筒状カム部材７１がモータ８３を駆動源とする伝導ベルト８６によって回転させる構成にしたが、筒状カム部材７１を歯車列を介してモータに連結して回動させるようにしてもよい。さらに、筒状カム部材７１を手動操作によって回転可能に構成してもよい。
また、カム機構７０は、各串部材５０を周方向へ順次に昇降動させる構造であれば、どのような構造のもを採用してもよい。
【図面の簡単な説明】
【００２９】
【図１】この発明の実施例１に係る玉軸受の玉分配装置を示す斜視図である。
【図２】同じく玉軸受の玉分配装置を示す縦断面図である。
【図３】同じく串部材を示す斜視図である。
【図４】同じく玉軸受の複数の玉がこれと同数の串部材によって等間隔に分配された状態を示す平面図である。
【符号の説明】
【００３０】
１  玉軸受
２  外輪
４  内輪
６  玉
１０  装置本体
１１  ベース部材
２０  下部案内部材
３０  上部案内部材
３５  軸受セット部
３６  嵌合筒部
３９  軸受設置面
４０  保持シリンダ
５０  串部材
５１  玉分け部
７０  カム機構
７１  筒状カム部材
７２  カム面
７５  カムフォロア
８０  駆動機構
８３  モータ
８６  伝導ベルト
【図１】
2009233777.tif 000003
【図２】
2009233777.tif 000004
【図３】
2009233777.tif 000005
【図４】
2009233777.tif 000006